(57)【要約】【課題】  棚板の傾斜角度を容易に変更でき、変更後の傾斜角度位置を確実に保持できるようにした傾斜可能な棚板を備えた棚装置を提供すること。【解決手段】  後面板８における棚板との取付部から所定間隔離間した位置に、前方の棚受け具と嵌合する嵌合部８ｂが設けられている。水平状態に保持されている棚板７の前後方向の向きを変えて、前方の凹溝部７ａを後方の棚受け具１０’と嵌合させ、後面板８に設けられた嵌合部８ｂを前方の棚受け具１０に嵌合させるだけで、棚板７の傾斜角度を容易に変更でき、変更後の傾斜角度位置を確実に保持できる。【選択図】  図３
2006130178.tif 000002
【特許請求の範囲】
【請求項１】
棚本体の側板内側面の前方及び後方に上下位置変更可能な棚受け具を係着させ、棚板の左右下面の前後に形成した凹溝部を嵌合させることにより、左右の側板間に棚板が架設される棚装置において、前記棚板の後端部から後面板を上方に向けて立設するとともに、前記後面板における前記棚板との取付部から所定間隔離間した位置に、前記前方の棚受け具と嵌合する嵌合部を設け、前記棚板の前後方向の向きを入れ替えて、前記前方の凹溝部を前記後方の棚受け具と嵌合させた状態で前記棚板全体を傾斜させた際に、前記嵌合部を前記前方の棚受け具に嵌合させることで棚板を傾斜させることを特徴とする傾斜可能な棚板を備えた棚装置。
【請求項２】
前記嵌合部を、前記後面板の上端縁に設けた請求項１に記載の傾斜可能な棚板を備えた棚装置。
【請求項３】
前記嵌合部を側面視コ字状とするとともに、その各内側面を前記棚受け具に当接するようにした請求項１または２に記載の傾斜可能な棚板を備えた棚装置。
【請求項４】
前記後面板の下端部を屈曲させ前記取付部を形成し、前記後面板の前面と前記棚板の後端面とを当接させて、前記取付部と前記棚板の後端部下面とをネジによって螺合した請求項１乃至３のいずれかに記載の傾斜可能な棚板を備えた棚装置。
【請求項５】
前記後面板には前記嵌合部が複数設けられている請求項１乃至４のいずれかに記載の傾斜可能な棚板を備えた棚装置。
【発明の詳細な説明】
【技術分野】
【０００１】
棚本体の側板内側面の前方及び後方に上下位置変更可能な棚受け具を係着させ、棚板の左右下面の前後に形成した凹溝部を嵌合させることにより、左右の側板間に棚板が架設される棚装置において、棚板が傾斜可能に支持される棚装置に関する。
【背景技術】
【０００２】
従来、棚板を傾斜支持する場合には、前後の棚受け具の係着位置を変更し、棚受け具に設けた左右方向に延びる横杆に棚板の前後に形成した凹溝部を嵌合させているが、棚板をいろいろな傾斜角度で支持させるため、凹溝部は横杆に対して大きめに形設することで対処していた（例えば、特許文献１参照）。また、棚板を傾斜支持する他の手段として、側板の前後に着脱自在の支持ピンを設け、棚板と直交する背板部を後方の支持ピンに吊時し、棚板の前方部は前方に支持ピンに載置するようにして、棚板に傾斜をつけていた（例えば、特許文献２参照）。
【０００３】
【特許文献１】特開平２０００−２０１７８５号公報（図１，５参照）
【０００４】
【特許文献２】特開平２００３−２９０００１号公報（段落００２７から００３２及び図５、６参照）
【発明の開示】
【発明が解決しようとする課題】
【０００５】
しかしながら、特許文献１に記載の棚板傾斜手段にあっては、凹溝部が横杆に対して大きめに形設されていることから、傾斜支持された棚板が前後にがたつき、物を載せる棚板としては若干の不安定さが残り、解消できなかった。一方、特許文献２に記載の棚板傾斜手段にあっては、棚板の前方部は前方に支持ピンに単に載置されているだけなので、棚板に重量がかかれば、棚板の傾斜角度が変わる不具合があった。
【０００６】
本発明は、このような問題点に着目してなされたもので、棚板の傾斜角度を容易に変更でき、変更後の傾斜角度位置を確実に保持できるようにした傾斜可能な棚板を備えた棚装置を提供することを目的とする。
【課題を解決するための手段】
【０００７】
上記課題を解決するために、本発明の請求項１に記載の傾斜可能な棚板を備えた棚装置は、棚本体の側板内側面の前方及び後方に上下位置変更可能な棚受け具を係着させ、棚板の左右下面の前後に形成した凹溝部を嵌合させることにより、左右の側板間に棚板が架設される棚装置において、前記棚板の後端部から後面板を上方に向けて立設するとともに、前記後面板における前記棚板との取付部から所定間隔離間した位置に、前記前方の棚受け具と嵌合する嵌合部を設け、前記棚板の前後方向の向きを入れ替えて、前記前方の凹溝部を前記後方の棚受け具と嵌合させた状態で前記棚板全体を傾斜させた際に、前記嵌合部を前記前方の棚受け具に嵌合させることで棚板を傾斜させることを特徴としている。
この特徴によれば、棚板の前後方向の向きを変えて、前方の凹溝部を後方の棚受け具と嵌合させ、後面板に設けられた嵌合部を前方の棚受け具に嵌合させることで、棚板が傾斜した状態で確実に支持され、後面板が底板の役割を果たすことができる。これによって、棚板の傾斜角度が十分に確保されるので、書籍を、背表紙を前方に向けた状態でも、表紙を前方に向けた状態でも、棚板に安定して載置することが可能である。
【０００８】
本発明の請求項２に記載の傾斜可能な棚板を備えた棚装置は、請求項１に記載の傾斜可能な棚板を備えた棚装置であって、前記嵌合部を、前記後面板の上端縁に設けたことを特徴としている。
この特徴によれば、後面板の上端縁を折り曲げ加工するだけで、嵌合部を容易に成形できる。
【０００９】
本発明の請求項３に記載の傾斜可能な棚板を備えた棚装置は、請求項１または２に記載の傾斜可能な棚板を備えた棚装置であって、前記嵌合部を側面視コ字状とするとともに、その各内側面を前記棚受け具に当接するようにしたことを特徴としている。
この特徴によれば、嵌合部は側面視コの字状に形成されていて、その内側面は棚受け具に当接されるので、嵌合部に棚受け具が確実に嵌合され棚板のぶれが抑えられ、後面板に載置される物品を常に安定した状態で支持することができる。
【００１０】
本発明の請求項４に記載の傾斜可能な棚板を備えた棚装置は、請求項１乃至３のいずれかに記載の傾斜可能な棚板を備えた棚装置であって、前記後面板の下端部を屈曲させ前記取付部を形成し、前記後面板の前面と前記棚板の後端面とを当接させて、前記取付部と前記棚板の後端部下面とをネジによって螺合したことを特徴としている。
この特徴によれば、棚板を傾斜させるとネジが略前方を向くので、底板の役割を果たす後面板上に書籍等の物品を載置して後面板に重量が掛かっても、ネジの剪断応力を利用でき、物品等の自重によって後面板が下方に外れることが防止される。
【００１１】
本発明の請求項５に記載の傾斜可能な棚板を備えた棚装置は、請求項１乃至４のいずれかに記載の傾斜可能な棚板を備えた棚装置であって、前記後面板には前記嵌合部が複数設けられていることを特徴としている。
この特徴によれば、嵌合部が複数あるので、棚受け具と嵌合する嵌合部を選定することにより、底板の役割を果たす後面板の傾斜角度を選択的に可変にすることができる。
【発明を実施するための最良の形態】
【００１２】
本発明の実施例を以下に説明する。
【実施例１】
【００１３】
図１は、本発明の実施例１における棚装置の全体像を示す斜視図であり、図２は、後面板が設けられた棚板の下面側より棚装置を見上げた一部破断斜視図であり、取付金具への棚受け具の取り付け、及び棚受け具に棚板が載置された状態を示し、図３（ａ）は、前方および後方の棚受け具に棚板を水平に載置させた側面図であり、図３（ｂ）は、前方の棚受け具よりも後方の棚受け具を下方位置に下げて棚板を後方に傾斜させた側面図であり、図３（ｃ）は、後方の棚受け具に棚板を載置させ、前方の棚受け具に後面板の嵌合部を嵌合させた側面図である。
【００１４】
この棚板は書籍等の物品の載置棚として用いられている。そこで、本発明の実施例１を図面に基づいて説明すると、まず図１に示されるように、棚装置１は主に、左右に立設された側板４，４と、これら側板４，４の上端部に設けられた天板２と、側板４，４の下端部に設けられた載置台３と、から構成される枠体である棚本体１ａと、棚本体１ａ内の上下方向に向けて複数段（本実施例では４段）架設された棚板７とで構成されている。以下、本実施例では棚装置１の正面側を前方とし、背面側を後方とし、側板４，４側を左右方向として説明する。
【００１５】
棚板７の後端側には、後述において説明する金属板の後面板８が上方に向けて延設され、棚板７に物品２０を載置した際に、物品２０の支え板となっている。また、棚板７と後面板８の前後位置を置き換え傾斜配置することで、後面板８に物品２０を載置させ棚板７を物品２０の支えとして利用する。
【００１６】
側板４，４の内側面の前方および後方位置には、上下の長さ方向に向けて取付金具６が設けられており、図２に示されるように、取付金具６，６’には、棚受け具１０，１０’を固定支持するための係着孔６ａ，６ａが前後方向に幅広の横長矩形で上下方向に向けて複数穿設されており、これら係着孔６ａ，６ａの所定の高さ位置には、棚受け具１０，１０’が係着されている。
【００１７】
この棚受け具１０，１０’は、係着孔６ａ内に係着される鈎状のフックが形成された係着体１１と、棚板７を支持する円柱型の棚支持用ナット（以下、ナット）１４とから成り、係着体１１が取付金具６，６’の係着孔６ａ，６ａ’に係合され、さらにナット１４をねじ込むことで、棚受け具１０，１０’が係着孔６ａ，６ａ’に係着され安易に取り外れないように固定されている。
【００１８】
次に、棚板７について具体的に説明すると、棚板７下面には左右の長さ方向に向けて、前後位置にそれぞれ凹溝部７ａ，７ａ’が形成されており、棚受け具１０，１０’のナット１４、１４をそれぞれ嵌合させることで、棚本体１ａの左右の側板４間に棚板７が安定して架設される。
【００１９】
棚板７の後端部７ｃに設けられた後面板８は、下端部が前方に向けて屈曲されて取付部８ａが形成され、この取付部８ａの所定位置に貫通孔８ａ’が形成されている。後面板８の上端縁８ｃからは、後方に向けて側面視コ字状で下向きに開口が形成されるように嵌合部８ｂが形成されている。このように、後面板８の上端縁８ｃを側面視コ字状に折り曲げ加工するだけで、容易に嵌合部８ｂが成形可能になっている。
【００２０】
次いで、後面板８の取り付けについて説明すると、後面板８の取付部８ａを棚板７の下面７ｄに当接させるとともに、後端部７ｃの後端面７ｃ’に後面板８の前面を当接させ、ネジ１７を下面７ｄから取付部８ａの貫通孔８ａ’を介して、上方に向けてねじ込みながら螺合させることで、棚板７に対して後面板８が上方に立設された状態で確実に固定される。
【００２１】
後面板８が取り付けられた棚板７の凹溝部７ａ，７ａ’を、水平状態で係着されている棚受け具１０，１０’に嵌合することで、図３（ａ）に示されており、棚板７は水平状態に保持され、物品２０が水平状態の棚板７に載置できる。
【００２２】
棚板７を若干後方に傾斜させる場合には、図３（ｂ）に示すように、前方あるいは後方の棚受け具１０、１０’のいずれかの係着位置を移動して再嵌合させることで、棚板７が後傾され、棚板７に載置される物品２０の背面が後面板８に支持されるので、物品２０が側板４の後方より下方に落下しないように防止されている。この傾斜角度は棚受け具１０、１０’と嵌合する凹溝部７ａ，７ａ’の許容隙間によるため、棚板７を大きく傾斜させることはできない。
【００２３】
物品２０をさらに後傾させて載置させたい場合には、図３（ｃ）に示すように、棚板７の前後方向の向きを入れ替えて、後方の棚受け具１０’を上方に移動させ係着させるとともに、前方の凹溝部７ａを後方の棚受け具１０’と嵌合させた状態で、棚板７全体を前方下方に向けて傾斜させ、後面板８の嵌合部８ｂを前方の棚受け具１０に嵌合させ、後面板８を底板とすることで棚板７が傾斜載置される。そこで、物品２０の下面が後面板８に支持され、物品２０の背面が棚板７に支持されるので、物品２０の丈が長い場合でも安定して載置できる。
【００２４】
この前方の棚受け具１０に嵌合させた嵌合部８ｂは、側面視コの字状に形成されていて、その内側面は棚受け具１０に当接されるので、嵌合部８ｂに棚受け具１０が確実に嵌合されて、棚板７のぶれが抑えられており、後面板８に載置される物品２０も常に安定した状態で支持される。
【００２５】
このように、棚板７が傾斜されるとネジ１７が略前方（斜め前方）を向くので、底板の役割を果たす後面板８上に書籍等の物品２０を載置して後面板８に重量が掛かった場合であっても、ネジ１７の剪断応力を利用でき、物品２０等の自重によって後面板８が下方に外れることが防止される。
【００２６】
以上の説明により実施例１では、棚板７の前後方向の向きを変えて、前方の凹溝部７ａを後方の棚受け具１０’と嵌合させ、後面板８に設けられた嵌合部８ｂを前方の棚受け具１０に嵌合させるだけで、棚板７の傾斜角度を容易に変更でき、変更後の傾斜角度位置を確実に保持できるようなる。したがって、棚板７が傾斜した状態で確実に支持され、後面板８が底板の役割を果たすことができる。これによって、例えば下方位置にある棚板７の傾斜角度を後方に傾斜させることにより、書籍等の物品２０の背表紙を前方に向けた状態でも、表紙を前方に向けた状態でも、後面板８に安定して載置させることが可能で、人が立った状態でも書籍の確認が容易にできる。
【実施例２】
【００２７】
次に、本発明の実施例２を図４に基づいて説明する。図４（ａ）は、前方および後方の棚受け具に棚板を水平に載置させた側面図であり、図４（ｂ）は、後方の棚受け具に棚板を載置させ、前方の棚受け具に後面板の上方の嵌合部を嵌合させた側面図であり、図４（ｃ）は、後方の棚受け具に棚板を載置させ、前方の棚受け具に後面板の下方の嵌合部を嵌合させた側面図である。なお、以下の実施例２において前述の実施例１と同様の構造部分に関しては、同一の符号を付すことにより詳細な説明は省略することにする。
【００２８】
まず、図４（ａ）に示されるように、棚板７は棚受け具１０、１０’が水平状態に設けられているので、通常の水平状態で載置されており、棚板７の後端部７ｃには、前方に向けて屈曲された後面板１８の取付部１８ａがネジ１７により固定されており、後面板１８の上端縁１８ｃに側面視コ字状の嵌合部１８ｂが開口を下に向した状態で形成されていると共に、この嵌合部１８ｂから下方の所定間隔位置に同型の嵌合部１８ｂ’が形成されている。
【００２９】
図４（ｂ）に示されるように、棚板７の前後方向の向きを入れ替えて、上方の係着孔６ａ’に移動された後方の棚受け具１０’に、前方の凹溝部７ａを嵌合させ、後面板１８の嵌合部１８ｂを前方の棚受け具１０に嵌合させれば、実施例１と同じように、後面板１８を底板とする棚板７が傾斜載置されている。
【００３０】
この棚板７の傾斜角度をさらに変更させたい場合には、図４（ｃ）に示されるように、前方の棚受け具１０に後面板１８の嵌合部１８ｂ’を嵌合させることで、後面板１８および棚板７の傾斜角度を変えることができる。
【００３１】
以上、実施例２の説明により、後面板１８に嵌合部１８ｂおよび嵌合部１８ｂ’を設けることで、棚受け具１０と嵌合する嵌合部を、２つの嵌合部１８ｂおよび嵌合部１８ｂ’より選定することにより、底板の役割を果たす後面板８の傾斜角度を選択的に可変にすることができる。
【００３２】
以上、本発明の実施例を図面により説明してきたが、具体的な構成はこれら実施例に限られるものではなく、本発明の要旨を逸脱しない範囲における変更や追加があっても本発明に含まれ、例えば上記実施例１，２では、後面板８，１８の上端縁８ｃ，１８ｃを折り曲げ加工するだけで、容易に側面視コ字状の嵌合部８ｂ、１８ｂが形成されることから好ましいが、本発明はこれに限定されるものではなく、後面板８，１８に別体で成形された嵌合部を設けても良い。
【００３３】
また、上記実施例２では、後面板１８に嵌合部１８ｂ，１８ｂ’を２箇所設けることで、棚板７および後面板１８の傾斜角度を適宜選択可能になっているが、より多くの嵌合部を後面板１８に形成して、さらに細かな傾斜角度の調整を行えるようにしても良い。更に、嵌合部は後面板の上端縁に必ず形成する必要はなく、取付部８ａから上方に向かって所定間隔離間された適宜の位置に設けることもできる。
【図面の簡単な説明】
【００３４】
【図１】本発明の実施例１における棚装置の全体像を示す斜視図である。
【図２】後面板が設けられた棚板の下面側より棚装置を見上げた一部破断斜視図であり、取付金具への棚受け具の取り付け、及び棚受け具に棚板が載置された状態を示す。
【図３】（ａ）は、前方および後方の棚受け具に棚板を水平に載置させた側面図であり、（ｂ）は、前方の棚受け具よりも後方の棚受け具を下方位置に下げて棚板を後方に傾斜させた側面図であり、（ｃ）は、後方の棚受け具に棚板を載置させ、前方の棚受け具に後面板の嵌合部を嵌合させた側面図である。
【図４】（ａ）は、前方および後方の棚受け具に実施例２における棚板を載置させた側面図であり、（ｂ）は、後方の棚受け具に棚板を載置させ、前方の棚受け具に後面板の上方の嵌合部を嵌合させた側面図であり、（ｃ）は、後方の棚受け具に棚板を載置させ、前方の棚受け具に後面板の下方の嵌合部を嵌合させた側面図である。
【符号の説明】
【００３５】
１                    棚装置
１ａ                  棚本体
２                    天板
３                    載置台
４                    側板
６、６’              取付金具
６ａ、６ａ’          係着孔
７                    棚板
７ａ、７ａ’          凹溝部
７ｃ                  後端部
７ｃ’                後端面
７ｄ                  下面
８                    後面板
８ａ                  取付部
８ａ’                貫通孔
８ｂ                  嵌合部
８ｃ                  上端縁
１０                  前方の棚受け具
１０’                後方の棚受け具
１１                  係着体
１４                  ナット（棚支持用ナット）
１７                  ネジ
１８                  後面板
１８ａ                取付部
１８ａ’              貫通孔
１８ｂ、１８ｂ’      嵌合部
１８ｃ                上端縁
１８ｄ                内側面
２０                  物品
【図１】
2006130178.tif 000003
【図２】
2006130178.tif 000004
【図３】
2006130178.tif 000005
【図４】
2006130178.tif 000006